(57)【要約】  スケジュールを追加するための方法およびデバイスが、提供される。この方法は、スケジュールアプリケーションにウィジェットアプリケーションを組み込み、情報伝達インターフェースを追加することによってスケジュールアプリケーションをウィジェットアプリケーションに接続するステップ（Ｓ１１）と、ユーザがウィジェットアプリケーション情報を選択し決定した後で、ウィジェットアプリケーションが、スケジュールアプリケーションにスケジュールリマインダを設定したということを通知し、情報パラメータをスケジュールアプリケーションに送るステップ（Ｓ１２）とを含む。本発明の実施形態は、スケジュールアプリケーションを、ウィジェットアプリケーションに組み込み接続し、日付と関連するより多くの情報が、ウィジェットアプリケーションを展開することによって表示し得るので、ユーザのスケジュール管理が便利になる。
2013535060.tif 000002
【特許請求の範囲】
【請求項１】
スケジュールアプリケーションにウィジェットアプリケーションを組み込み、情報伝達インターフェースを追加することによって前記スケジュールアプリケーションを前記ウィジェットアプリケーションに接続するステップと、
ユーザがウィジェットアプリケーション情報を選択し決定した後で、前記ウィジェットアプリケーションによって、前記スケジュールアプリケーションが新たなスケジュールリマインダを設定したということを通知し、情報パラメータを前記スケジュールアプリケーションに送るステップと
を含む、スケジュールを追加するための方法。
【請求項２】
前記ウィジェットアプリケーション情報が、ユーザの要求に従って設定される、請求項1に記載の方法。
【請求項３】
前記スケジュールアプリケーションが前記新たなスケジュールリマインダを設定したということを、前記ウィジェットアプリケーションによって通知し、前記情報パラメータを前記スケジュールアプリケーションに送る前記ステップの後で、前記スケジュールアプリケーションが、受け取られた情報パラメータを、前記スケジュールリマインダの選択された表題またはデフォルトの表題と見なす、請求項1に記載の方法。
【請求項４】
スケジュール問い合わせ処理をさらに含み、
前記ユーザが問い合わせの日付を選択し決定した後で、前記スケジュールアプリケーションが前記日付を前記ウィジェットアプリケーションに送り、
前記スケジュールアプリケーションが、問い合わせを行い、前記日付に対応するスケジュールリマインダを表示し、前記ウィジェットアプリケーションが、前記受け取られた日付を通じて対応する情報を問い合わせ、前記対応する情報を表示する、請求項1から3のいずれか一項に記載の方法。
【請求項５】
スケジュールアプリケーションにウィジェットアプリケーションを組み込み、情報伝達インターフェースを追加することによって前記スケジュールアプリケーションを前記ウィジェットアプリケーションに接続するように構成される、第1の組込および接続モジュールと、
ユーザがウィジェットアプリケーション情報を選択し決定した後で、前記ウィジェットアプリケーションによって、前記スケジュールアプリケーションが新たなスケジュールリマインダを設定したということを通知し、情報パラメータを前記スケジュールアプリケーションに送るように構成される、通知および送信モジュールと
を含む、スケジュールを追加するためのデバイス。
【請求項６】
前記第1の組込および接続モジュールの中の前記ウィジェットアプリケーション情報が、ユーザの要求に従って設定される、請求項5に記載のデバイス。
【請求項７】
前記スケジュールアプリケーションが、前記通知および送信モジュールによって送られた前記情報パラメータを受け取った後で、前記スケジュールリマインダの選択された表題またはデフォルトの表題として、受け取られた情報パラメータを見なすように構成される、スケジュールアプリケーション表題モジュールをさらに含む、請求項5に記載のデバイス。
【請求項８】
前記ユーザが問い合わせの日付を選択し決定した後で、前記スケジュールアプリケーションによって、前記日付を前記ウィジェットアプリケーションに送るように構成された、日付送信サブモジュールと、
前記スケジュールアプリケーションによって、問い合わせを行い、前記日付送信サブモジュールの中の前記日付に対応するスケジュールリマインダを表示するように構成された、スケジュール問い合わせサブモジュールと、
前記日付送信サブモジュールによって受け取られた前記日付を通じて、前記ウィジェットアプリケーションによって、対応する情報を問い合わせ表示するように構成された、ウィジェット情報問い合わせサブモジュールと
を含む、スケジュール問い合わせモジュールをさらに含む、請求項5から7のいずれか一項に記載のデバイス。
【請求項９】
スケジュールアプリケーションにウィジェットアプリケーションを組み込み、情報伝達インターフェースを追加することによって前記スケジュールアプリケーションを前記ウィジェットアプリケーションに接続するステップと、
ユーザによって選択され決定された日付を、前記スケジュールアプリケーションによって前記ウィジェットアプリケーションに送るステップと、
前記受け取られた日付に対応する情報パラメータを、前記ウィジェットアプリケーションによって前記スケジュールアプリケーションに送るステップと、
前記スケジュールアプリケーションによって、前記日付に対応する前記情報パラメータに従って、スケジュールを追加するステップと
を含む、スケジュールを追加するための方法。
【請求項１０】
スケジュールアプリケーションにウィジェットアプリケーションを組み込み、情報伝達インターフェースを追加することによって前記スケジュールアプリケーションを前記ウィジェットアプリケーションに接続するように構成された、第2の組込および接続モジュールと、
ユーザによって選択され決定された日付を、前記スケジュールアプリケーションによって前記ウィジェットアプリケーションに送るように構成された、日付送信モジュールと、
前記受け取られた日付に対応する情報パラメータを、前記ウィジェットアプリケーションによって前記スケジュールアプリケーションに送るように構成された、ウィジェット情報送信モジュールと、
前記日付に対応する前記情報パラメータに従って、前記スケジュールアプリケーションによってスケジュールを追加するように構成された、追加モジュールと
を含む、スケジュールを追加するためのデバイス。
【発明の詳細な説明】
【技術分野】
【０００１】
本出願は、2010年6月24日に中国特許庁に出願された、「METHOD AND DEVICE FOR ADDING SCHEDULE」という表題の中国特許出願第201010218312.1号の優先権を主張し、上記の出願は全体が参照によって本明細書に組み込まれる。
【０００２】
本発明は、通信技術の分野に関し、より具体的には、スケジュールを追加するための方法およびデバイスに関する。
【背景技術】
【０００３】
人々の生活のリズムの加速によって、スケジュールリマインダの機能をもつソフトウェアが、人々の多忙な生活において必須の部分になっている。既存のスケジュールソフトウェアは、ユーザがスケジュールを追加する時、ユーザによって現在選択されている日付に従って、新たなスケジュールリマインダのデフォルトの日付を設定し、スケジュールの表題のような具体的な内容は、ユーザによって入力される。
【発明の概要】
【発明が解決しようとする課題】
【０００４】
本発明を実施する際、発明者は、従来技術には少なくとも以下の問題があることを見出した。
【０００５】
スケジュールが追加される時、ユーザは、スケジュールのデフォルトの表題のような具体的な内容として、携帯電話内の他の決定されたアプリケーション情報を取り出すことができない。
【課題を解決するための手段】
【０００６】
本発明の実施形態は、スケジュールを追加するための方法およびデバイスを提供し、日付と関連付けられるより多くの情報が、ウィジェットアプリケーションを展開することによって表示されるので、ユーザのスケジュール管理が便利になる。
【０００７】
本発明のある実施形態は、スケジュールを追加するための方法を提供し、この方法は、
スケジュールアプリケーションにウィジェットアプリケーションを組み込み、情報伝達インターフェースを追加することによってスケジュールアプリケーションをウィジェットアプリケーションに接続するステップと、
ユーザがウィジェットアプリケーション情報を選択し決定した後で、ウィジェットアプリケーションによって、スケジュールアプリケーションが新たなスケジュールリマインダを設定したということを通知し、情報パラメータをスケジュールアプリケーションに送るステップとを含む。
【０００８】
本発明のある実施形態は、スケジュールを追加するためのデバイスを提供し、このデバイスは、
スケジュールアプリケーションにウィジェットアプリケーションを組み込み、情報伝達インターフェースを追加することによってスケジュールアプリケーションをウィジェットアプリケーションに接続するように構成された、第1の組込および接続モジュールと、
ユーザがウィジェットアプリケーション情報を選択し決定した後で、ウィジェットアプリケーションによって、スケジュールアプリケーションが新たなスケジュールリマインダを設定したということを通知し、情報パラメータをスケジュールアプリケーションに送信するように構成された、通知および送信モジュールとを含む。
【０００９】
本発明のある実施形態はさらに、スケジュールを追加するための方法を提供し、この方法は、
スケジュールアプリケーションにウィジェットアプリケーションを組み込み、情報伝達インターフェースを追加することによってスケジュールアプリケーションをウィジェットアプリケーションに接続するステップと、
ユーザによって選択され決定された日付を、スケジュールアプリケーションによってウィジェットアプリケーションに送るステップと、
受け取られた日付に対応する情報パラメータを、ウィジェットアプリケーションによってスケジュールアプリケーションに送るステップと、
日付に対応する情報パラメータに従って、スケジュールアプリケーションによってスケジュールを追加するステップとを含む。
【００１０】
本発明のある実施形態はさらに、スケジュールを追加するためのデバイスを提供し、このデバイスは、
スケジュールアプリケーションにウィジェットアプリケーションを組み込み、情報伝達インターフェースを追加することによってスケジュールアプリケーションをウィジェットアプリケーションに接続するように構成された、第2の組込および接続モジュールと、
ユーザによって選択され決定された日付を、スケジュールアプリケーションによってウィジェットアプリケーションに送るように構成された、日付送信モジュールと、
受け取られた日付に対応する情報パラメータを、ウィジェットアプリケーションによってスケジュールアプリケーションに送るように構成された、ウィジェット情報送信モジュールと、
日付に対応する情報パラメータに従って、スケジュールアプリケーションによってスケジュールを追加するように構成される、追加モジュールとを含む。
【００１１】
本発明の実施形態によって提供される前述の技術的な解決法から、スケジュールアプリケーションがウィジェットアプリケーションに組み込まれて接続され、日付と関連付するより多くの情報が、ウィジェットアプリケーションを展開することによって表示され得るので、ユーザのスケジュール管理が便利になるということが、理解され得る。
【００１２】
本発明の実施形態による技術的な解決法をより明確に例示するために、実施形態を描写するための添付の図面が以下で簡単に紹介される。明らかに、以下の説明における添付の図面は本発明のいくつかの実施形態であり、当業者は、創造的な作業を伴うことなく、添付の図面から他の図面を導出することができる。
【図面の簡単な説明】
【００１３】
【図１】本発明のある実施形態によって提供される、スケジュールを追加するための方法の流れ図である。
【図２】本発明のある実施形態によって提供される、スケジュールを追加して問い合わせるための方法の流れ図であって、スポーツ試合のスケジュール表をスケジュールアプリケーションのウィジェットアプリケーションに組み込む例が採用される、流れ図である。
【図３ａ】本発明のある実施形態によって提供される、スポーツ試合のスケジュール表のウィジェットを、表示するためにスケジュールアプリケーションにロードする、結果図である。
【図３ｂ】本発明のある実施形態によって提供される、スポーツ試合のスケジュール表のウィジェットを、表示するためにスケジュールアプリケーションにロードし、ユーザがウィジェットアプリケーションにおいて試合スケジュール表を選択し決定した後の、結果図である。
【図４】本発明のある実施形態によって提供される、スケジュールを追加するためのデバイスの概略的な構造図である。
【図５】本発明のある実施形態によって提供される、スケジュールを追加するための別の方法の流れ図である。
【図６】本発明のある実施形態によって提供される、スケジュールを追加するための別のデバイスの概略的な構造図である。
【発明を実施するための形態】
【００１４】
本発明の技術的な解決法は、添付の図面を参照して、以下で明確かつ完全に説明される。説明される実施形態は、本発明の実施形態のすべてではなく一部であることは、明らかである。本発明の実施形態に基づいて、創造的な作業を伴わずに当業者が得るすべての他の実施形態は、本発明の保護範囲に入るものである。
【００１５】
ウィジェットアプリケーションは、顧客と1対1の関係を確立する機会を提供する。ローカル装置に記憶される、カレンダーおよびアドレス帳プログラムのような情報を取得することによって、ユーザは、標準的なブラウザを通じてサービスのコンテンツ間を簡単にジャンプすることができる。ウィジェットアプリケーションは、インターネットおよびローカルのリソースを統合し、新型の個人設定されたサービス体験を、たとえば、装置の全地球測位システム機能にアクセスすることを通じて提供することができ、ウィジェットアプリケーションは、より多くの相関関係および環境認知についての情報をユーザに提供することができる。同時に、ウィジェットアプリケーションは、端末に簡単に組み込まれ、高速に動作し、スライド、ビデオ、地図、またはニュースのような様々な形態で提示されてよく、使用者にニュースを伝えることができ、使用者のために物を買い好みのブランドを一覧にし、自分で天気のウェブサイトに行かなくてもいいように、能動的に情報を使用者に伝えることができる。使用者は、自身の選好に従って、「ネットワーク」中のすべてのコンテンツを分解して再配置し、自分が見たい形式に従って自分自身に属するインターネットを取得することができる。たとえば、ウィジェットアプリケーションは、個人スペースを確立するために用いられ、この個人スペースは、1つのウェブサイトからのスポーツニュース、掲示板の一部、正式な金融のウェブサイトからのリアルタイムで更新される株式情報を含み、これまでユーザが同時にいくつかのウェブサイトに入らないとそれぞれ見ることができないそのような情報は、ウィジェットアプリケーションを通じて個人スペースの一部になり、WeatherBug Widgetがウィジェットアプリケーションの例である。
【００１６】
本発明のある実施形態は、図1に示されるような、スケジュールを追加するための方法を提供する。
【００１７】
ステップ11:スケジュールアプリケーションにウィジェットアプリケーションを組み込み、情報伝達インターフェースを追加することによってスケジュールアプリケーションをウィジェットアプリケーションに接続する。
【００１８】
具体的には、ウィジェットアプリケーションは、libファイルの形式でスケジュールファイルにロードされ、スケジュールアプリケーションは、情報伝達インターフェースを追加することによってウィジェットアプリケーションに接続され、ウィジェットアプリケーションのいくつかの機能をスケジュールアプリケーションにおいて確実に直接用いることができるようにする。たとえば、スケジュールアプリケーションでは、ウィジェットの試合スケジュール表が組み込まれるので、試合スケジュール表は、スケジュールアプリケーションが動作した時に、リアルタイムで更新され表示される。
【００１９】
ステップ12:ユーザがウィジェットアプリケーション情報を選択して決定した後、ウィジェットアプリケーションが、新たなスケジュールリマインダの設定をスケジュールアプリケーションに通知し、情報パラメータをスケジュールアプリケーションに送り、ウィジェットアプリケーション情報は、スポーツ試合情報または気象情報のように、ユーザの要求に従って設定され得る。
【００２０】
任意選択で、ステップ13も含まれてよい。ウィジェットアプリケーションが、新たなスケジュールリマインダの設定をスケジュールアプリケーションに通知し、情報パラメータをスケジュールアプリケーションに送った後、スケジュールアプリケーションは、受け取られた情報パラメータを、スケジュールリマインダの選択された表題またはデフォルトの表題と見なす。
【００２１】
具体的には、ウィジェットアプリケーションは、たとえば、インターフェースを呼び出しまたは通知を送る方式で、新たなスケジュールリマインダの設定をスケジュールアプリケーションに通知することができ、ウィジェットは、ウィジェットのデータまたはユーザの設定に従って、スケジュールリマインダの時刻または表題のような情報を入力することができる。スポーツ試合を例にとると、ウィジェットは、試合の開始時刻をスケジュールリマインダの時刻として、試合の2つの対戦者をスケジュールリマインダの表題として見なすことができる。
【００２２】
さらに、ユーザがスケジュールを問い合わせる必要がある時の、具体的なスケジュール問い合わせ処理は以下の通りである。
【００２３】
ユーザが問い合わせの日付を選択して決定した後、スケジュールアプリケーションがその日付をウィジェットアプリケーションに送る。
【００２４】
スケジュールアプリケーションが、問い合わせを行い、日付に対応するスケジュールリマインダを表示し、同時に、ウィジェットアプリケーションが、受け取られた日付を通じて対応する情報を問い合わせ、対応する情報を表示する。具体的には、ユーザによって選択されスケジュールアプリケーションによって送られた日付を受け取った後、ウィジェットアプリケーションは、組み込まれたウィンドウにおいて、その日の試合スケジュール表のような、日付に対応する情報を表示する。
【００２５】
従来技術は、スケジュールを問い合わせる時に、スケジュールソフトウェアのデータベースからスケジュールリマインダイベントを取得できるのみであり、天気または国家の祝祭のような、問い合わせの日付と関連があり端末に記録されている価値のある情報を、同時に取得することはできない。提供される方法を通じて、ユーザは、組み込まれたウィンドウからリアルタイムで日付に対応するウィジェット情報を取得することができ、この情報は天候またはその日の試合のスケジュールをユーザに気付かせることができるので、ユーザのスケジュール問い合わせ処理が便利になり、ユーザ体験が改善する。
【００２６】
図2に示されるように、スケジュールアプリケーションでは、説明のための例として、ウィジェットアプリケーションにスポーツ試合のスケジュール表が組み込まれ、具体的なステップは以下の通りである。
【００２７】
ステップ21:libファイルの形式でスケジュールアプリケーションにウィジェットアプリケーションをロードし、情報伝達インターフェースを追加することによってスケジュールアプリケーションをウィジェットアプリケーションに接続する。スポーツ試合のスケジュール表のウィジェットの例を伴う、ロードされた結果図が図3aに示される。
【００２８】
ステップ22:ユーザがウィジェットアプリケーションの試合スケジュール表を選択し決定した後、ウィジェットアプリケーションが、新たなスケジュールリマインダの設定をスケジュールアプリケーションに通知し、試合スケジュール表のパラメータをスケジュールアプリケーションに送る。たとえば、試合スケジュール表は、9時にある中国対日本の生中継の試合、10時にある韓国対米国の生中継の試合、および11時にあるカナダ対北朝鮮の生中継の試合を含み、ユーザが「中国対日本」を選択し決定した後、ウィジェットアプリケーションは、新たなスケジュールリマインダの設定をスケジュールアプリケーションに通知し、試合スケジュール表の中の「中国対日本」というパラメータをスケジュールアプリケーションに送る。
【００２９】
ステップ23:スケジュールアプリケーションが試合スケジュール表のパラメータを受け取った後、試合の2つの対戦者をスケジュールリマインダの表題として選択し、スケジュールリマインダを作成する。たとえば、スケジュールアプリケーションが試合スケジュール表の中の「中国対日本」というパラメータを受け取った後、試合の2つの対戦者が、スケジュールリマインダの表題として選択されてスケジュールリマインダを作成する。つまり、図3bに示されるように、「中国対日本」がスケジュールリマインダの表題として使われる。
【００３０】
ステップ24:スケジュールアプリケーションが、ユーザによって選択され決定された問い合わせの日付を受け取った後、問い合わせを行い、日付に対応する情報を表示し、同時に、問い合わせの日付をウィジェットアプリケーションに通知する。図3bに示されるように、ウィジェットアプリケーションは、組み込まれたウィンドウに、日付に対応する試合スケジュール表を表示する。
【００３１】
この実施形態による方法の処理のすべてまたは一部は、コンピュータプログラムの命令下にある関連するハードウェアによって実施され得ることが、当業者には理解されよう。プログラムは、コンピュータ可読媒体に記憶され得る。プログラムが実行されると、本発明の実施形態による方法の処理が実行される。記憶媒体は、磁気ディスク、光ディスク、読み取り専用メモリ(Read-Only Memory、ROM)、ランダムアクセスメモリ(Random Access Memory、RAM)などであってよい。
【００３２】
本発明のこの実施形態では、スケジュールアプリケーションがウィジェットアプリケーションに組み込まれて接続され、スケジュールアプリケーションの視聴機能はウィジェットアプリケーションを通じて拡張される。したがって、ユーザは、スケジュールアプリケーションの表示インターフェースで、無限のカレンダーおよび関連するスケジュールイベントを見ることができ、ウィジェットアプリケーションを展開することによって、日付に関連するより多くの情報を表示することができ、ウィジェットアプリケーション情報は、ユーザが新たなスケジュールリマインダを設定した時に、ユーザが選択するデフォルトの情報として機能し得るので、ユーザのスケジュール管理が便利になる。
【００３３】
たとえば、携帯電話またはコンピュータの複数のプラットフォーム上のログ管理ソフトウェアの設計において適用される、本発明のある実施形態は、端末に設置され得る、スケジュールを追加するためのデバイスを提供する。図4に示されるように、そのデバイスは以下のものを含む。
【００３４】
第1の組込および接続モジュール41は、スケジュールアプリケーションにウィジェットアプリケーションを組み込み、情報伝達インターフェースを追加することによってスケジュールアプリケーションをウィジェットアプリケーションに接続するように構成される。
【００３５】
具体的には、ウィジェットアプリケーションは、libファイルの形式でスケジュールファイルにロードされ、スケジュールアプリケーションは、情報伝達インターフェースを追加することによってウィジェットアプリケーションに接続され、ウィジェットアプリケーションのいくつかの機能をスケジュールアプリケーションにおいて確実に直接用いることができるようにする。たとえば、スケジュールアプリケーションでは、ウィジェットの試合スケジュール表が組み込まれるので、試合スケジュール表は、スケジュールアプリケーションが動作した時に、リアルタイムで更新され表示される。
【００３６】
通知および送信モジュール42は、ユーザがウィジェットアプリケーション情報を選択して決定した後、ウィジェットアプリケーションによって、新たなスケジュールリマインダの設定をスケジュールアプリケーションに通知し、情報パラメータをスケジュールアプリケーションに送るように構成され、ウィジェットアプリケーション情報は、スポーツ試合情報または気象情報のように、ユーザの要求に従って設定され得る。
【００３７】
デバイスはさらに、スケジュールアプリケーション表題モジュール(図4には示されない)を含んでもよく、スケジュールアプリケーション表題モジュールは、スケジュールアプリケーションが、通知および送信モジュールによって送られた情報パラメータを受け取った後、受け取られた情報パラメータを、スケジュールリマインダの選択された表題またはデフォルトの表題と見なすように構成される。
【００３８】
具体的には、ウィジェットアプリケーションは、たとえば、インターフェースを呼び出しまたは通知を送る方式で、新たなスケジュールリマインダの設定をスケジュールアプリケーションに通知することができ、ウィジェットは、ユーザのウィジェットまたは設定の日付に従って、スケジュールリマインダの時刻または表題のような情報を入力することができる。スポーツ試合を例にとると、ウィジェットは、試合の開始時刻をスケジュールリマインダの時刻として、試合の2つの対戦者をスケジュールリマインダの表題として見なすことができる。
【００３９】
さらに、ユーザがスケジュールを問い合わせる必要がある場合、デバイスはさらに、スケジュール問い合わせモジュールを含んでよく、スケジュール問い合わせモジュール(図4に示されない)は、
ユーザが問い合わせの日付を選択して決定した後、スケジュールアプリケーションによって、その日付をウィジェットアプリケーションに送るように構成された、日付送信サブモジュールと、
スケジュールアプリケーションによって、問い合わせを行い、日付送信サブモジュールの中の日付に対応するスケジュールリマインダを表示するように構成された、スケジュール問い合わせサブモジュールと、
データ送信サブモジュールによって受け取られた日付を通じて、対応する情報をウィジェットアプリケーションによって問い合わせて表示するように構成された、ウィジェット情報問い合わせサブモジュールとを含む。
【００４０】
デバイスに含まれるモジュールの処理機能の具体的な実装方式は、前述の方法の実施形態で説明されているので、ここでは再び説明されない。
【００４１】
本発明のこの実施形態では、スケジュールアプリケーションがウィジェットアプリケーションに組み込まれて接続され、スケジュールアプリケーションの視聴機能はウィジェットアプリケーションを通じて拡張される。したがって、ユーザは、スケジュールアプリケーションの表示インターフェースで、無限のカレンダーおよび関連するスケジュールイベントを見ることができ、ウィジェットアプリケーションを展開することによって、日付に関連するより多くの情報を表示することができ、ウィジェットアプリケーション情報は、ユーザが新たなスケジュールリマインダを設定した時に、ユーザが選択するデフォルトの情報として機能し得るので、ユーザのスケジュール管理が便利になる。
【００４２】
本発明のある実施形態は、スケジュールを追加するための方法をさらに提供する。図5に示されるように、方法は以下のステップを含む。
【００４３】
ステップ51:スケジュールアプリケーションにウィジェットアプリケーションを組み込み、情報伝達インターフェースを追加することによってスケジュールアプリケーションをウィジェットアプリケーションに接続する。
【００４４】
具体的には、ウィジェットアプリケーションは、libファイルの形式でスケジュールファイルにロードされ、スケジュールアプリケーションは、情報伝達インターフェースを追加することによってウィジェットアプリケーションに接続され、ウィジェットアプリケーションのいくつかの機能をスケジュールアプリケーションにおいて確実に直接用いることができるようにする。たとえば、スケジュールアプリケーションでは、ウィジェットの試合スケジュール表が組み込まれるので、試合スケジュール表は、スケジュールアプリケーションが動作した時に、リアルタイムで更新され表示される。
【００４５】
ステップ52:スケジュールアプリケーションが、ユーザによって選択され決定された日付をウィジェットアプリケーションに送り、ここでスケジュールアプリケーションは、スケジュールアプリケーションとウィジェットアプリケーションとの間の日付情報伝達インターフェースを通じて、日付を送る。
【００４６】
ステップ53:ウィジェットアプリケーションが、受け取られた日付に対応する情報パラメータをスケジュールアプリケーションに送り、ここでウィジェットアプリケーションの情報パラメータは、スポーツ試合の情報パラメータまたは気象情報パラメータのように、ユーザの要求に従って設定され得る。
【００４７】
ステップ54:スケジュールアプリケーションが、日付に対応する情報パラメータに従って、スケジュールを追加する。たとえば、ウィジェットアプリケーションは、対応する6月23日のサッカーの試合の情報パラメータ(22:00 スロベニア対イングランド)をスケジュールアプリケーションに送り、したがって、22:00というスケジュール時刻が追加され、対応するスケジュールの表題はスロベニア対イングランドである。
【００４８】
本発明のある実施形態はさらに、スケジュールを追加するためのデバイスを提供する。図6に示されるように、デバイスは以下のものを含む。
【００４９】
第2の組込および接続モジュール61は、スケジュールアプリケーションにウィジェットアプリケーションを組み込み、情報伝達インターフェースを追加することによってスケジュールアプリケーションをウィジェットアプリケーションに接続するように構成される。
【００５０】
具体的には、ウィジェットアプリケーションは、libファイルの形式でスケジュールファイルにロードされ、スケジュールアプリケーションは、情報伝達インターフェースを追加することによってウィジェットアプリケーションに接続され、ウィジェットアプリケーションのいくつかの機能をスケジュールアプリケーションにおいて確実に直接用いることができるようにする。たとえば、スケジュールアプリケーションでは、ウィジェットの試合スケジュール表が組み込まれるので、試合スケジュール表は、スケジュールアプリケーションが動作した時に、リアルタイムで更新され表示される。
【００５１】
日付送信モジュール62は、ユーザによって選択され決定された日付を、スケジュールアプリケーションによってウィジェットアプリケーションに送るように構成され、ここでスケジュールアプリケーションは、スケジュールアプリケーションとウィジェットアプリケーションとの間の日付情報伝達インターフェースを通じて、日付を送る。
【００５２】
ウィジェット情報送信モジュール63は、受け取られた日付に対応する情報パラメータを、ウィジェットアプリケーションによってスケジュールアプリケーションに送るように構成され、ここでウィジェットアプリケーションの情報パラメータは、スポーツ試合の情報パラメータまたは気象情報パラメータのように、ユーザの要求に従って設定され得る。
【００５３】
追加モジュール64は、日付に対応する情報パラメータに従って、スケジュールアプリケーションによってスケジュールを追加するように構成される。たとえば、ウィジェットアプリケーションは、対応する6月23日のサッカーの試合の情報パラメータ(22:00 スロベニア対イングランド)をスケジュールアプリケーションに送り、したがって、22:00というスケジュール時刻が追加され、対応するスケジュールの表題はスロベニア対イングランドである。
【００５４】
本発明のこの実施形態では、スケジュールアプリケーションがウィジェットアプリケーションに組み込まれて接続され、スケジュールアプリケーションの視聴機能はウィジェットアプリケーションを通じて拡張される。したがって、スケジュールアプリケーションが対応する日付を選択した後で、ユーザは、日付に対応しウィジェットアプリケーションによって送られたウィジェット情報に従って、新たなスケジュールリマインダを設定することができるので、ユーザのスケジュール管理が便利になる。
【００５５】
上記の説明は本発明の例示的な実施形態に過ぎず、本発明の保護範囲を限定するものではない。本発明の技術的な範囲から逸脱することなく、当業者が容易に想起し得る様々な修正および置換は、本発明の保護範囲に含まれるべきである。したがって、本発明の保護範囲は、添付の特許請求の範囲と同調する。
【符号の説明】
【００５６】
41  第1の組込および接続モジュール
42  通知および送信モジュール
61  第2の組込および接続モジュール
62  データ送信モジュール
63  ウィジェット情報送信モジュール
64  追加モジュール
【図１】
2013535060.tif 000003
【図２】
2013535060.tif 000004
【図３ａ】
2013535060.tif 000005
【図３ｂ】
2013535060.tif 000006
【図４】
2013535060.tif 000007
【図５】
2013535060.tif 000008
【図６】
2013535060.tif 000009
【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
スケジュールアプリケーションにウィジェットアプリケーションを組み込み、情報伝達インターフェースを追加することによって前記スケジュールアプリケーションを前記ウィジェットアプリケーションに接続するステップと、
ユーザがウィジェットアプリケーション情報を選択し決定した後で、前記ウィジェットアプリケーションによって、前記スケジュールアプリケーションが新たなスケジュールリマインダを設定したということを通知し、情報パラメータを前記スケジュールアプリケーションに送るステップと
を含む、スケジュールを追加するための方法。
【請求項２】
スケジュール問い合わせ処理をさらに含み、
前記ユーザが問い合わせの日付を選択し決定した後で、前記スケジュールアプリケーションが前記日付を前記ウィジェットアプリケーションに送り、
前記スケジュールアプリケーションが、問い合わせを行い、前記日付に対応するスケジュールリマインダを表示し、前記ウィジェットアプリケーションが、前記日付を通じて対応する情報を問い合わせ、前記対応する情報を表示する、請求項1に記載の方法。
【請求項３】
前記スケジュールアプリケーションが前記新たなスケジュールリマインダを設定したということを、前記ウィジェットアプリケーションによって通知し、前記情報パラメータを前記スケジュールアプリケーションに送る前記ステップの後で、前記スケジュールアプリケーションが、受け取られた情報パラメータを、前記スケジュールリマインダの選択された表題またはデフォルトの表題と見なす、請求項1または2に記載の方法。
【請求項４】
前記ウィジェットアプリケーション情報が、ユーザの要求に従って設定される、請求項1から3のいずれか一項に記載のデバイス。
【請求項５】
スケジュールアプリケーションにウィジェットアプリケーションを組み込み、情報伝達インターフェースを追加することによって前記スケジュールアプリケーションを前記ウィジェットアプリケーションに接続するように構成される、第1の組込および接続モジュールと、
ユーザがウィジェットアプリケーション情報を選択し決定した後で、前記ウィジェットアプリケーションによって、前記スケジュールアプリケーションが新たなスケジュールリマインダを設定したということを通知し、情報パラメータを前記スケジュールアプリケーションに送るように構成される、通知および送信モジュールと
を含む、スケジュールを追加するためのデバイス。
【請求項６】
前記ユーザが問い合わせの日付を選択し決定した後で、前記スケジュールアプリケーションによって、前記日付を前記ウィジェットアプリケーションに送るように構成された、日付送信サブモジュールと、
前記スケジュールアプリケーションによって、問い合わせを行い、前記日付送信サブモジュールの中の前記日付に対応するスケジュールリマインダを表示するように構成された、スケジュール問い合わせサブモジュールと、
前記日付送信サブモジュールによって受け取られた前記日付を通じて、前記ウィジェットアプリケーションによって、対応する情報を問い合わせ表示するように構成された、ウィジェット情報問い合わせサブモジュールと
を含む、スケジュール問い合わせモジュールをさらに含む、請求項5に記載のデバイス。
【請求項７】
前記スケジュールアプリケーションが、前記通知および送信モジュールによって送られた前記情報パラメータを受け取った後で、前記スケジュールリマインダの選択された表題またはデフォルトの表題として、受け取られた情報パラメータを見なすように構成される、スケジュールアプリケーション表題モジュールをさらに含む、請求項5に記載のデバイス。
【請求項８】
前記第1の組込および接続モジュールの中の前記ウィジェットアプリケーション情報が、ユーザの要求に従って設定される、請求項5から7のいずれか一項に記載のデバイス。
【請求項９】
スケジュールアプリケーションにウィジェットアプリケーションを組み込み、情報伝達インターフェースを追加することによって前記スケジュールアプリケーションを前記ウィジェットアプリケーションに接続するステップと、
ユーザによって選択され決定された日付を、前記スケジュールアプリケーションによって前記ウィジェットアプリケーションに送るステップと、
前記日付に対応する情報パラメータを、前記ウィジェットアプリケーションによって前記スケジュールアプリケーションに送るステップと、
前記スケジュールアプリケーションによって、前記日付に対応する前記情報パラメータに従って、スケジュールを追加するステップと
を含む、スケジュールを追加するための方法。
【請求項１０】
スケジュールアプリケーションにウィジェットアプリケーションを組み込み、情報伝達インターフェースを追加することによって前記スケジュールアプリケーションを前記ウィジェットアプリケーションに接続するように構成された、第2の組込および接続モジュールと、
ユーザによって選択され決定された日付を、前記スケジュールアプリケーションによって前記ウィジェットアプリケーションに送るように構成された、日付送信モジュールと、
前記日付に対応する情報パラメータを、前記ウィジェットアプリケーションによって前記スケジュールアプリケーションに送るように構成された、ウィジェット情報送信モジュールと、
前記日付に対応する前記情報パラメータに従って、前記スケジュールアプリケーションによってスケジュールを追加するように構成された、追加モジュールと
を含む、スケジュールを追加するためのデバイス。
【手続補正２】
【補正対象書類名】明細書
【補正対象項目名】００１４
【補正方法】変更
【補正の内容】
【００１４】
本発明の技術的な解決法は、添付の図面を参照して、以下で明確に説明される。説明される実施形態は、本発明の実施形態のすべてではなく一部であることは、明らかである。本発明の実施形態に基づいて、創造的な作業を伴わずに当業者が得るすべての他の実施形態は、本発明の保護範囲に入るものである。
【国際調査報告】
2013535060.tif 000010
2013535060.tif 000011
2013535060.tif 000012
2013535060.tif 000013